(57)【要約】  【課題】  優れた脱臭機能を有し、単独で、且、目立たない施工が可能であり、さらに施工作業を効率的に行うことができるとともに、維持管理コストを低減することができる浄化設備を提供する。  【解決手段】  本発明に係る浄化設備は、浄化槽２と、脱臭装置１とを含む。浄化槽２は、排気口２３を有し、地中に埋設されている。脱臭装置１は、通気管１０と、充填材１５とを有し、地中に埋設されている。通気管１０は、多孔質であり、一端１０１が浄化槽２の排気口２３に接続されている。充填材１５は、粒状である。通気管１０は、地中に埋設されており、周囲に充填材１５が配置されている。【選択図】      図１
2006181504.tif 000002
【特許請求の範囲】
【請求項１】
浄化槽と、脱臭装置とを含む浄化設備であって、
前記浄化槽は、排気口を有し、地中に埋設されており、
前記脱臭装置は、通気管と、充填材とを有し、地中に埋設されており、
前記通気管は、多孔質であり、一端が前記浄化槽の前記排気口に接続されており、
前記充填材は、粒状であり、
前記通気管は、地中に埋設されており、周囲に前記充填材が配置されている
浄化設備。
【請求項２】
請求項１に記載された浄化設備であって、
前記充填材は、ゼオライトである浄化設備。
【発明の詳細な説明】
【技術分野】
【０００１】
本発明は、浄化設備に関し、より具体的には浄化槽と、浄化槽用脱臭装置とを有する浄化設備に関する。
【背景技術】
【０００２】
現在、自然環境における健全な水循環機能を確保するため、一般家庭に対する浄化槽の設置が広く推進されている。通常、この種の浄化槽は、屎尿や、台所排水、洗濯排水等の生活雑排水（以下、汚水と称する）を、好気性微生物を用いた生物学的方法を利用して浄化処理する好気処理槽を有する。浄化槽が好気処理槽を有する場合、浄化槽は、エア・コンプレッサ等の送風装置（以下、ブロワと称する）を含み、ブロワを用いて好気処理槽に空気を送り込むことにより、好気性微生物の活性化、及び、汚泥等の攪拌を行う。
【０００３】
一方、浄化槽の内部では、汚水に含まれる有機物の分解に伴い、メタンガス、アンモニア、及び、硫化水素などの臭気が発生する。浄化槽は、一般に密閉構造を有しているから、ブロワの駆動により内部の空気圧が高まると、蓋部や配管の接続部分等から臭気が外部に漏出し、建築主、及び、近隣住民からの臭気クレームが頻発する問題を生じる。従って、この種の浄化槽においては、臭気クレームの危険を回避しつつ、浄化槽内の空気を如何に外部に逃がすかが重要な技術的課題となる。
【０００４】
上述した臭気クレーム対策として、従来の浄化設備は、高所に臭突管を設置し、臭突管から浄化槽内の空気を大気中に放散していた。一般的な臭突管の立ち上げ工事においては、まず浄化槽に接続した臭突管を屋根上まで立ち上げる。次に、臭突管を家屋の外壁面に止め具を用いて固定し、臭突管の長手方向端部に備えられた排気口を家屋の屋根付近の高さまで延ばして、ここから空気を放散させる。また、特許文献１では、浄化槽は、排気管を介して、側溝へ空気を放散していた。
【０００５】
しかし、上述した従来技術は何れも脱臭機能を有しておらず、大気中に放散された空気は依然として臭気を伴うものであるから、根本的な臭気対策となっていない。その結果、施工住宅の間取りや、近隣住宅の間取り、風向き、さらには人通り等に配慮して排気口を設置しなければならず、施工効率が悪い点で問題を生じていた。
【０００６】
また、臭突管の立ち上げ工事が、新築建物に対して行われる場合、水道設備業者による浄化槽及び臭突管工事と、家屋建築業者の設備及び足場とがかち合う不都合を生じる。
【０００７】
他方、臭突管の立ち上げ工事が、既存建物に対して行われる場合、雨樋や屋根の構造により設置場所が制約される不都合を生じる。
【０００８】
さらに、現状では、臭突管は、汲み取り便所と勘違いされるなど見栄えが悪いとの理由から、設置が見送られる傾向にあり、建築主のニーズに即した浄化槽の臭気対策が待たれているところである。
【０００９】
上述した従来技術に対しては、特許文献２乃至４に示すように、臭気対策として臭突管、及び、排気口に脱臭装置を備える構成も考え出されている。
【００１０】
しかし、特許文献２乃至４に示すように、浄化施設が機械的に高度な脱臭装置を備える場合、脱臭装置には電源等の動力源が必要となる結果、設置場所が制約されることとなり、施工効率が悪い点で問題を生じていた。
【００１１】
また、浄化施設が機械的に高度な脱臭装置を備える場合、脱臭装置は故障の危険をはらむこととなるから、長期間の使用を前提として埋設される浄化設備には不適当である点、及び、消費者が定期的な保守点検を強いられる点で問題がある。
【００１２】
さらに、特許文献２及び３に示す浄化設備では、依然として臭突管自体の見栄えの悪さの問題等を解決することができない。
【特許文献１】特開２００３−０６２５８８号公報
【特許文献２】特開平１０−１８００３２号公報
【特許文献３】特許第２９４５５５４号公報
【特許文献４】特開平０６−１２６１２５号公報
【発明の開示】
【発明が解決しようとする課題】
【００１３】
本発明の課題は、優れた脱臭機能を有する浄化設備を提供することである。
【００１４】
本発明のもう１つの課題は、目立たない施工が可能であるとともに、単独で施工が可能である浄化設備を提供することである。
【００１５】
本発明の更にもう一つの課題は、施工作業を効率的に行うことができるとともに、維持管理コストを低減することができる浄化設備を提供することである。
【課題を解決するための手段】
【００１６】
上述した課題を解決するため、本発明に係る浄化設備は、浄化槽と、脱臭装置とを含む。浄化槽は、排気口を有し、地中に埋設されている。脱臭装置は、通気管と、充填材とを有し、地中に埋設されている。通気管は、多孔質であり、一端が浄化槽の排気口に接続されている。充填材は、粒状である。通気管は、地中に埋設されており、周囲に充填材が配置されている。
【００１７】
上述のように、浄化設備は、浄化槽と、脱臭装置とを含む。浄化槽は、排気口を有し、地中に埋設されている。脱臭装置は通気管を有し、通気管は一端が浄化槽の排気口に接続されているから、浄化槽内の空気を、通気管を通じて外部に送出し、浄化槽内の空気圧を一定に保つことができる。
【００１８】
脱臭装置は地中に埋設されているから、浄化槽の設置とともに実行することができ、単独で施工が可能である。従って、施工作業を効率的に行うことができる。また、通気管は、地中に埋設されているから、目立たない施工が可能である。
【００１９】
通気管は多孔質であり、地中に埋設されているから、地中の好気性微生物を通気管の内部に案内することができる。従って、脱臭装置は、好気性微生物を用いた生物学的方法を利用して、通気管の内部を流動する空気中の臭気成分を、地中で脱臭処理することができる。
【００２０】
さらに脱臭装置は充填材を有する。充填材は粒状であって、通気管の周囲に配置されている。即ち、脱臭装置は、通気管の周囲に、充填材により形成された地中空間を有している。上述したように、通気管は多孔質であるから、浄化槽から送出されてくる空気を、上述した地中空間に放散することができる。
【００２１】
脱臭装置は、通気管の周囲に、充填材により形成された地中空間を有しているから、地中の好気性微生物を用いた生物学的方法により、通気管から地中空間に放散された空気に含まれる臭気成分を、地中で脱臭処理することができる。
【００２２】
上述したように、脱臭装置は地中に埋設され、地中の好気性微生物を用いた生物学的方法を利用して脱臭処理するものであるから、動力源が不要であり、施工作業を効率的に行うことができる。
【００２３】
同様に、脱臭装置は地中に埋設され、地中の好気性微生物を用いた生物学的方法を利用して脱臭処理するものであるから、故障の危険を有しない。従って、維持管理コストを低減することができるとともに、長期間に渡って安定的に使用することができる。
【００２４】
さらに、通気管は地中に埋設されており、周囲に充填材が配置されているから、浄化槽の規模に対応した脱臭空間を形成することにより、脱臭装置の脱臭機能を容易に調節することができる。
【００２５】
本発明の好ましい態様において、充填材はゼオライトである構成によると、生物学的方法を利用した脱臭処理を行うことができるとともに、充填材それ自体の脱臭効果を利用して脱臭処理を行うことができる。従って、脱臭装置は、優れた脱臭効果を奏することができる。
【００２６】
本発明の他の目的、構成及び利点については、添付図面を参照し、更に詳しく説明する。添付図面は、単に、例示に過ぎない。
【発明の効果】
【００２７】
以上述べたように、本発明によれば、次のような効果を得ることができる。
（１）優れた脱臭機能を有する浄化設備を提供することができる。
（２）目立たない施工が可能であるとともに、単独で施工が可能である浄化設備を提供することができる。
（３）施工作業を効率的に行うことができるとともに、維持管理コストを低減することができる浄化設備を提供することができる。
【発明を実施するための最良の形態】
【００２８】
図１は本発明の一実施形態に係る浄化設備の端面図、図２は図１に示した浄化設備の一部を拡大して示す端面図である。図１及び図２を参照すると、本発明の一実施形態に係る浄化設備は、脱臭装置１と、浄化槽２とを有する。
【００２９】
浄化槽２は、ベースコンクリート２１と、処理槽２２と、排気口２３とを含み、地中に埋設されている。図１を参照すると、処理槽２２は地中に埋設され、ベースコンクリート２１上に安定的に配置されている。処理槽２２は、好ましくは、内部に好気処理槽（図示しない）を備えており、蓋部２４が地表面Ｇに備えられている。排気口２３は、管状であって、一端が処理槽２２の内部と通気的に接続されており、他端が後述する第１の桝１３を介して通気管１０と通気的に接続されている。
【００３０】
脱臭装置１は、通気管１０と、第１の桝１３と、第２の桝１４と、充填材１５とを有し、地中に埋設されている。記号Ｇは、地表面を示す。
【００３１】
通気管１０は、多孔質である。図２に示す通気管１０は、所謂ネットパイプであって、好ましくはポリエチレン（ＰＥ）、ポリプロピレン（ＰＰ）、塩化ビニル樹脂（ＰＶＣ）等の合成樹脂材料でなり、管基体部分に、外面から内面に貫通する通孔部１１が複数備えられている。
【００３２】
通気管１０は、地中に埋設されており、周囲に充填材１５が配置されている。充填材１５は、好ましくは、ゼオライト等の脱臭効果を有する材料を用いて構成される。
【００３３】
図１及び図２に示す充填材１５は、好ましくは粒状または砕石状であって、隣接する充填材１５の相互間には、地中空間１００が形成されている。図１及び図２では簡略化されて示されているが、充填材１５は、好ましくは地中空間１００において、粒径の異なる複数の層を構成する。充填材１５の粒径は、通気管１０に近接するに従って大きくなるように設定される。
【００３４】
通気管１０は、一端１０１が、第１の桝１３を介して浄化槽２と通気的に接続されており、他端１０２が第２の桝１４と通気的に接続されている。
【００３５】
より詳細に説明すると、第１の桝１３は、好ましくはポリエチレン（ＰＥ）、ポリプロピレン（ＰＰ）、塩化ビニル樹脂（ＰＶＣ）等の合成樹脂材料でなり、内部空間１３０（図３参照）と、蓋部１３１と、第１の接続孔１３２と、第２の接続孔１３３とを有する。
【００３６】
蓋部１３１は、地表面Ｇに露出して備えられており、内部空間１３０の検査口として用いることができる。第１の接続孔１３２は、内部空間１３０に貫通している。第１の接続孔１３２には、通気管１０の一端１０１が接続され、内部空間１３０と通気管１０とが通気的に接続されている。第２の接続孔１３３は、内部空間１３０に貫通している。第２の接続孔１３３には、浄化槽２の排気口２３が接続され、内部空間１３０と浄化槽２とが通気的に接続されている。
【００３７】
同様に、第２の桝１４は、好ましくはポリエチレン（ＰＥ）、ポリプロピレン（ＰＰ）、塩化ビニル樹脂（ＰＶＣ）等の合成樹脂材料でなり、内部空間１４０（図３参照）と、蓋部１４１と、第１の接続孔１４２を有する。蓋部１４１は、地表面Ｇに露出して備えられており、内部空間１４０の検査口として用いることができる。第１の接続孔１４２は、内部空間１４０に貫通している。第１の接続孔１４２には、通気管１０の他端１０２が接続され、内部空間１４０と通気管１０とが通気的に接続されている。
【００３８】
上述したように、第１の桝１３は、第１の接続孔１３２に通気管１０の一端１０１が連結され、第２の接続孔１３３に浄化槽２の排気口２３が連結されており、内部空間１３０を介して通気管１０と浄化槽２とを通気的に接続する。さらに、第２の桝１４は、第１の接続孔１４２に通気管１０の他端１０２が連結されており、内部空間１４０が、通気管１０を介して第１の桝１３、及び、浄化槽２を通気的に接続する。
【００３９】
脱臭装置１は、保護層３を含む。保護層３は、好ましくは不織布であって、通気性を有する。図１及び図２に示す保護層３は、通気管１０、及び、充填材１５の上部に備えられ、通気管１０、充填材１５、及び、地中空間１００への土砂、塵埃等異物の侵入を防止する。
【００４０】
図１及び図２に示した浄化設備に備えられている脱臭装置１の作用効果について、さらに図３及び図４を参照して説明する。図３は図１及び図２に示した脱臭装置１の使用態様を示す端面図、図４は図３に示した脱臭装置１の使用態様について一部を拡大して示す端面図である。
【００４１】
図３に示すように、通気管１０は、一端１０１が第１の接続孔１３２に連結されており、第１の桝１３を介して浄化槽２の排気口２３と通気的に接続されているから、浄化槽２の内部の空気を矢印Ｍ１で示す方向に送出し、浄化槽２の内部の空気圧を一定に保つことができる。従って、浄化槽２は、ブロワの駆動により、処理槽２２の内部の空気圧が高まったとしても、蓋部２４や、配管の接続部分等から処理槽２２の内部の臭気が外部に漏出することを防止できる。
【００４２】
一方、通気管１０は、他端１０２が第２の桝１４と通気的に接続されているから、矢印Ｍ１及び矢印Ｍ２方向から送出された空気を、矢印Ｍ３で示す方向に円滑に流動させることができる。即ち、脱臭装置１は、第２の桝１４を有する構成により、通気管１０の他端１０２の側に、矢印Ｍ１及び矢印Ｍ２方向から送出された空気が、矢印Ｍ３方向に流動する内部空間１４０を備えているから、空気を円滑に流動させることができる。
【００４３】
通気管１０は多孔質であり、地中に埋設されているから、地中の好気性微生物を、矢印Ｍ２０で示す通気管１０の内部に案内することができる。従って、脱臭装置１は、通気管１０の内部において、矢印Ｍ２方向に流動する空気中の臭気成分を、好気性微生物を用いた生物学的方法を利用して、地中で脱臭処理することができる。従って、本発明の一実施形態に係る脱臭装置１によると、建築主、及び、近隣住民からの臭気クレームを防止することができる。
【００４４】
他方、脱臭装置１は、充填材１５を有する。充填材１５は、地中に埋設された通気管１０の周囲に配置されている。即ち、脱臭装置１は、通気管１０の周囲に、地中空間１００を有している。通気管１０は多孔質であるから、浄化槽２から矢印Ｍ２方向に送出される空気を、通孔部１１を通じて矢印Ｍ２０方向に流動させ、地中空間１００に放散することができる。なお、充填材１５は、好ましくは粒状または砕石状であるから、地中に通気性の良い地中空間１００を形成することができる。
【００４５】
上述したように脱臭装置１は、通気管１０の周囲に、好気性微生物の繁殖空間となる地中空間１００を有しているから、地中空間１００から矢印Ｍ２０方向に放散された空気中の臭気を、生物学的方法により地中で脱臭処理することができる。従って、脱臭装置１は、建築主、及び、近隣住民からの臭気クレームを防止することができる。
【００４６】
また、脱臭装置１は、生物学的方法により脱臭処理することができるから、電源等の動力源が不要であり、設置場所の選定が容易となる。従って、本発明の一実施形態に係る浄化設備の構成によると、施工作業を効率的に行うことができる。
【００４７】
同様に、脱臭装置１は、通気管１０の周囲に充填材１５が配置されている構成により、生物学的方法を利用して脱臭処理するものであるから、故障の危険を有しない。従って、維持管理コストを低減し、長期間に渡って安定的に使用することができる。
【００４８】
脱臭装置１は、通気管１０を流動する空気中の臭気成分を脱臭処理することができるとともに、通気管１０から地中空間１００に放散された空気中の臭気成分を脱臭処理することができから、優れた脱臭効果を有する。
【００４９】
さらに、脱臭装置１は、充填材１５にゼオライトを用いた場合、充填材１５それ自体による脱臭処理を行うことができるから、優れた脱臭効果を有する。
【００５０】
図１乃至図４を参照して説明した脱臭装置１は、地中に埋設されているから、設置場所の選定が容易であり、施工作業を効率的に行うことができる。
【００５１】
通気管１０は、地中に埋設されているから、浄化槽２の設置とともに、単独で施工が可能である。従って、水道設備業者による浄化槽及び脱臭装置１の取り付け工事は、家屋建築業者の設備及び足場に阻害されることなく実施することが可能であって、施工作業を効率的に行うことができる。
【００５２】
また、通気管１０は、地中に埋設されているから、脱臭装置１の取り付け工事は、既存建物に備えられている雨樋や屋根の構造などに設置場所が制約されることなく実行することができる。従って、施工作業を効率的に行うことができる。
【００５３】
同様に、通気管１０は、地中に埋設されているから、目立たない施工が可能である。従って、汲み取り便所と勘違いされるなど見栄えが損なわれる問題を解消することができる。
【００５４】
さらに、充填材１５は、粒状または砕石状であるから、通気管１０の周囲に形成される地中空間１００の容積を調節することにより、浄化槽２の規模に容易に追従して、適当な脱臭効果を有する脱臭装置１を提供することができる。
【００５５】
充填材１５は、好ましくは地中空間１００において、粒径の異なる複数の層を構成する。充填材１５の粒径は、通気管１０に近接するに従って大きくなるように設定されているから、通気管１０への雨水や土砂、塵埃等の侵入を防止することができるとともに、通気管１０の周囲に通気性が良く、好気性微生物の繁殖空間として好ましい地中空間１００を広く確保することができる。
【００５６】
保護層３は、通気管１０、及び、充填材１５の上部に備えられているから、地中の好気性微生物を、通気管１０、及び、充填材１５の底面側、及び、両側面側から、地中空間１００の内部、さらには通気管１０の内部に案内することができる。
【００５７】
図５乃至図８は、本発明に係る浄化設備の設置方法を示す端面図である。図５乃至図８において、図１乃至図４に示した構成部分と同一の構成部分には、同一の参照符号を付す。
【００５８】
図５乃至図８に示す浄化設備の設置方法は、脱臭装置１と、浄化槽２とを含む。脱臭装置１は、図１乃至図４を参照して説明したものでなる。浄化槽２は、排気口２３を有する。
【００５９】
浄化設備の設置に当たり、まず、図５を参照すると、設置穴４を掘削する。設置穴４の内部には、浄化槽２の排気口２３が案内され、底部４０には第１の桝１３と、第２の桝１４が配置される。第１の桝１３は、第１の接続孔１３２が、第２の桝１４の第１の接続孔１４２と相対向して備えられる。排気口２３は第２の接続孔１３３に連結され、第１の桝１３と、浄化槽２とが通気的に接続される。
【００６０】
次に、図６を参照すると、図５に示す工程の後、設置穴４の底部４０に充填材１５を敷設する。充填材１５は、第１の桝１３の接続孔１３２と、第２の桝１４の接続孔１４２とを水平に結んだ点線領域Ｘより下に敷設される。点線領域Ｘで示す部分には、通気管１０が配置される。
【００６１】
次に、図７を参照すると、図６に示す工程の後、通気管１０を設置穴４の内部に配置し、一端１０１を第１の接続孔１３２に連結し、他端１０２を第１の接続孔１４２に連結する。第１の桝１３と、第２の桝１４とは通気管１０により通気的に接続される。
【００６２】
次に、図８を参照すると、図７に示す工程の後、通気管１０の上部を、充填材１５で被覆する。さらに充填材１５の上には保護層３が備えられるとともに、埋め戻し土で被覆される。
【００６３】
図５〜図８を参照して説明した方法により設置される浄化設備は、図１〜図４を参照して説明した利点を全て有する。
【００６４】
さらに、図５〜図８を参照して説明した浄化設備の設置方法によると、施工作業を効率的に行うことができる。たとえば、脱臭装置１は、充填材１５が充填される設置穴４の容積を調節することにより、浄化槽２の規模に追従して、適当な脱臭効果を有する地中空間１００を容易に設定することができる。
【００６５】
図９及び図１０は、本発明のもう一つの実施形態に係る浄化設備の端面図である。図９及び図１０において、図１乃至図８に示した構成部分と同一の構成部分には、同一の参照符号を付す。
【００６６】
まず、図９に示す浄化設備を参照すると、通気管１０の配置、及び、第２の桝１４の構成について、図１乃至図８に示した脱臭装置１とは相違点を有することがわかる。以下、相違点を中心に説明する。
【００６７】
図９に示す脱臭装置１は、通気管１０が、設置穴の底面に備えられており、充填材１５は上方から通気管１０を被覆して備えられている。即ち、脱臭装置１において通気管１０の底面側に充填材１５が備えられていない構成によると、通気管１０の設置作業、及び、充填材１５の敷設作業を効率的に行うことができる。
【００６８】
また、通気管１０が設置穴の底面に備えられており、充填材１５は上方から通気管１０を被覆して備えられている構成によると、底面に生息する好気性微生物を、容易に通気管１０の内部に案内することができる。従って、脱臭装置１は、優れた脱臭機能を有する。
【００６９】
次に、図９に示す脱臭装置１において、第２の桝１４は、蓋部１４１が通気性を有する格子状部分を備えている。即ち、蓋部１４１が、所謂、格子蓋１４１である構成によると、通気管１０を通じて矢印Ｍ１及び矢印Ｍ２方向から送出された空気を、格子蓋１４１を通じて外部方向Ｍ３に放散することができるから、排気口２３から送出される空気を円滑に排出することができる。
【００７０】
なお、図１乃至図４を参照して説明したように、矢印Ｍ１及び矢印Ｍ２方向から送出されてくる空気中の臭気成分は、通気管１０の内部において、地中の好気性微生物を用いた生物学的方法を利用して脱臭処理されているから、外部方向Ｍ３に放散された空気に対し、建築主、及び、近隣住民から臭気クレームが生じることはない。
【００７１】
図１０に示す浄化設備を参照すると、第１及び第２の桝１３、１４の有無について、図１乃至図９に示した浄化設備とは相違点を有することがわかる。以下、相違点を中心に説明する。
【００７２】
まず、図１０に示す浄化設備は、通気管１０の一端１０１が、直接、排気口２３と通気的に接続されている。この構成によると、図１乃至図９に示した第１の桝１３が不要となるから、施工作業を効率的に行うことができる。
【００７３】
次に、図１０に示す浄化設備は、図１乃至図９に示した第２の桝１４に替わって、放散管１６が備えられている。放散管１６は、第１の接続孔１６２に通気管１０の他端１０２が連結され、通気管１０が内部空間１６０と通気的に接続されている。
【００７４】
放散管１６は、所謂エルボー返しであって、放散口１６１が地表面Ｇに対向して配置されている構成によると、通気管１０を通じて矢印Ｍ１及び矢印Ｍ２方向から送出された空気を、放散口１６１を通じて外部方向Ｍ３に放散することができるから、排気口２３から送出される空気を円滑に排出することができる。
【００７５】
また、図９を参照して説明したように、外部方向Ｍ３に放散された空気は、通気管１０を矢印Ｍ２方向に送出されてくる過程で、地中の好気性微生物を用いた生物学的方法を利用して、脱臭処理されているから、建築主、及び、近隣住民からの臭気クレームが生じることはない。
【００７６】
なお、図１０に示す浄化設備において、通気管１０と、放散管１６とは、別々の部材で構成されているが、両者は一体的に成形されていてもよい。
【００７７】
図１１は本発明の更にもう一つの実施形態に係る浄化設備の端面図、図１２は図１１に示した浄化設備について一部を拡大して示す端面図である。図１１及び図１２において、図１乃至図１０に示した構成部分と同一の構成部分には、同一の参照符号を付す。
【００７８】
図１１及び図１２に示した浄化設備は、通気管１０の内部に球状体５が配置されている点に特徴がある。球状体５は、通気管１０の内径より僅かに小さい直径寸法のものを用いることが好ましい。
【００７９】
上述したように浄化設備が、通気管１０の内部に球状体５を備える構成によると、通気管１０の内部をＭ１からＭ２、Ｍ３方向に流れる空気の流動を制御し、脱臭装置１の脱臭効果を向上することができる。
【００８０】
図１２を参照してより詳細に説明すると、通気管１０の内部をＭ２方向に流れる空気は、球状体５により一旦せき止められ、通孔部１１を通じて矢印Ｍ２１で示す方向に流動し、地中空間１００に放散される。即ち、通気管１０が内部に球状体５を備える構成によると、地中空間１００に放散される空気量が増加することにより、脱臭装置１の脱臭効果が向上する。
【００８１】
一方、Ｍ２１方向に放散された空気は、そのまま地中に吸収されるか、又は、通孔部１１を通じて矢印Ｍ２２で示す通気管１０の内部に還流され、再びＭ２、Ｍ３方向に送出される。従って、浄化設備は、Ｍ１からＭ２、Ｍ３方向へ流れる空気の流動を阻害することなく、脱臭装置１の脱臭効果を向上することができる。
【００８２】
好ましくは、図１１及び図１２に示す球状体５は、第１の桝１３を通じて一端１０１から、通気管１０の内部に挿入される。通気管１０に配置された球状体５は、Ｍ２方向に流れる空気や、道具を用いた人為的方法により第２の桝１４から取り出すことができる。通気管１０に配置された球状体５は、そのまま通気管１０に固定されてもよい。従って、施工作業、維持管理作業を効率的に行うことができる。
【００８３】
しかも、通気管１０の内部における球状体５の位置によって、充填材１５の活性化位置をコントロールできるから、充填材１５をその全長にわたって、有効に機能させることができる。通気管１０の内部に対する球状体５の嵌め合いを適切に設定することにより、使用済みの充填材１５の部分から、隣接する未使用の充填材１５の部分へと、空気圧によって自動的に送り、充填材１５を、その全長にわたって有効に、自動的に機能させることもできる。
【００８４】
上述した使用済みの充填材１５の部分は、球状体５が接する未使用の充填材１５の部分へ移動することにより、脱臭処理の過負荷状態から解放され、時間の経過に伴って回復、再活性化する。従って、通気管１０の内部における球状体５の位置によって、充填材１５の活性化位置をコントロールできる構成によると、優れた脱臭機能を有する浄化設備を、長期間に渡って効率的、且、安定的に使用することができる。
【００８５】
さらに、通気管１０が内部に球状体５を備える構成によると、様々な施工条件や、施工主からの要望に迅速に対応することができる。
【００８６】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００８７】
【図１】本発明の一実施形態に係る浄化設備の端面図である。
【図２】図１に示した浄化設備の一部を拡大して示す端面図である。
【図３】図１及び図２に示した脱臭装置の使用態様を示す端面図である。
【図４】図３に示した脱臭装置の使用態様について一部を拡大して示す端面図である。
【図５】本発明の一実施形態に係る浄化設備の設置方法を示す端面図である。
【図６】図５に示した工程の後の工程を示す端面図である。
【図７】図６に示した工程の後の工程を示す端面図である。
【図８】図７に示した工程の後の工程を示す端面図である。
【図９】本発明のもう一つの実施形態に係る浄化設備の端面図である。
【図１０】本発明の更にもう一つの実施形態に係る浄化設備の端面図である。
【図１１】本発明の更にもう一つの実施形態に係る浄化設備の端面図である。
【図１２】図１１に示した浄化設備について一部を拡大して示す端面図である。
【符号の説明】
【００８８】
１          脱臭装置
１０        通気管
１０１      一端
１５        充填材
２          浄化槽
２３        排気口
【図１】
2006181504.tif 000003
【図２】
2006181504.tif 000004
【図３】
2006181504.tif 000005
【図４】
2006181504.tif 000006
【図５】
2006181504.tif 000007
【図６】
2006181504.tif 000008
【図７】
2006181504.tif 000009
【図８】
2006181504.tif 000010
【図９】
2006181504.tif 000011
【図１０】
2006181504.tif 000012
【図１１】
2006181504.tif 000013
【図１２】
2006181504.tif 000014